(57)【要約】【課題】目に対する悪影響を低減して安全性の高い照明装置を提供する。【解決手段】照明装置１００は、電柱などの支柱に取り付けるための取付部１０、取付部１０に固定された筐体２０、筐体２０に取り付けられる第１透過カバー３１、第２透過カバー３２などを備える。筐体２０内には、適長離隔させて矩形状の２つの基板を配置してある。それぞれの基板には、白色ＬＥＤ、青色ＬＥＤが一列をなすように実装してある。第１透過カバー３１は、白色ＬＥＤの光だけを透過させる。また、第２透過カバー３２は、青色ＬＥＤの光だけを透過させる。第１透過カバー３１の光拡散率は、第２透過カバー３２の光拡散率よりも小さい。【選択図】図１
2014075231.tif 000002
【特許請求の範囲】
【請求項１】
白色の光を発する白色光源と、
前記白色と異なる光を発する他色光源と、
各光源からの光をそれぞれ透過させる透過カバーと
を備え、
前記白色光源からの光を透過させる第１透過カバーの光拡散率は、前記他色光源からの光を透過させる第２透過カバーの光拡散率よりも小さいことを特徴とする照明装置。
【請求項２】
前記白色光源の最大輝度方向にある照射面で前記他色光源の照度を最大とすべく該他色光源を配置してあることを特徴とする請求項１に記載の照明装置。
【請求項３】
前記白色光源は、白色ＬＥＤであり、
前記他色は、青色であることを特徴とする請求項１又は請求項２に記載の照明装置。
【請求項４】
前記第１透過カバーは、透明カバーであることを特徴とする請求項１から請求項３までのいずれか１項に記載の照明装置。
【請求項５】
前記白色光源の照射領域を所定方向に拡幅すべく該白色光源の光を拡散する光学部材を備えることを特徴とする請求項１から請求項４までのいずれか１項に記載の照明装置。
【発明の詳細な説明】
【技術分野】
【０００１】
本発明は、白色系の光源と、白色系と異なる光を発する他色光源とを備える照明装置に関する。
【背景技術】
【０００２】
近年、ＬＥＤ（発光ダイオード）の高輝度化に伴い、蛍光灯などの光源に代えて、低消費電力、長寿命等の特性を有するＬＥＤが照明装置の光源として用いられるようになりつつある。また、種々の発光色を有するＬＥＤも製品化されている。
【０００３】
例えば、青色光照明は、心理的に沈静効果があるとされ、防犯灯、鉄道用照明、道路灯などに使用されつつある。例えば、複数の単色系（例えば、青色）ＬＥＤと、単色系ＬＥＤよりも少ない白色ＬＥＤと、各ＬＥＤの光を外部に照射する透光ケースとを備える照明装置が開示されている（特許文献１参照）。
【先行技術文献】
【特許文献】
【０００４】
【特許文献１】特開２０１２−９４３４号公報
【発明の概要】
【発明が解決しようとする課題】
【０００５】
特許文献１の照明装置は、青色ＬＥＤの数は白色ＬＥＤの数よりも多く、また、青色ＬＥＤ及び白色ＬＥＤの光は同じように１つの透光ケースから外部へ照射されるので、ユーザは青色光照明と認識する。一方で、青色光の眼に対する傷害の可能性については、ＩＥＣ及びＪＩＳ等で規格化がなされ、例えば、網膜に対する露光許容量が規定されている。さらに、青色光は、視感度が低く眩しさを感じにくいため、照明装置の透光ケースを直視した場合でも瞳孔が開いたままになり、網膜上の青色光の照度が高くなる可能性があり、特許文献１の照明装置では、青色光の影響を受けやすいという安全上の問題がある。
【０００６】
本発明は斯かる事情に鑑みてなされたものであり、目に対する悪影響を低減して安全性の高い照明装置を提供することを目的とする。
【課題を解決するための手段】
【０００７】
本発明に係る照明装置は、白色の光を発する白色光源と、前記白色と異なる光を発する他色光源と、各光源からの光をそれぞれ透過させる透過カバーとを備え、前記白色光源からの光を透過させる第１透過カバーの光拡散率は、前記他色光源からの光を透過させる第２透過カバーの光拡散率よりも小さいことを特徴とする。
【０００８】
本発明にあっては、白色の光を発する白色光源と、白色と異なる光を発する他色光源と、各光源からの光をそれぞれ透過させる透過カバーとを備える。白色の光は、可視光の全域に亘って連続したスペクトルにより実現される光であり、いわゆる白色だけでなく、昼光色、昼白色、温白色、電球色などの色も含めることができる。他色光源は、例えば、青色光を発する光源である。白色光源からの光を透過させる第１透過カバーの光拡散率は、他色光源からの光を透過させる第２透過カバーの光拡散率よりも小さい。第１透過カバーの光拡散率を相対的に小さくすることにより、白色の光は相対的に拡散されずに透過カバーから透過するので、白色光源は輝度が高い光源となり、透過カバーを直視した場合、瞳孔を閉じやすくするとともに、眩しさで照明を直視しにくくすることができるので、青色光による目に対する悪影響を低減して安全性を高くすることができる。
【０００９】
本発明に係る照明装置は、前記白色光源の最大輝度方向にある照射面で前記他色光源の照度を最大とすべく該他色光源を配置してあることを特徴とする。
【００１０】
本発明にあっては、白色光源の最大輝度方向にある照射面で他色光源の照度を最大とすべく他色光源を配置してある。他色光源は、例えば、青色光を発する光源である。青色光は人の目の分光視感度が低く、またカメラ等の感度も低いため青色光が照射された照射面及び周囲の視認性は劣る。白色光源の最大輝度方向にある照射面で他色光源の照度を最大とすることにより、青色光単独による照射面の照度よりも照度を高めることができるので、目視及びカメラ等により視認性を向上させることができる。
【００１１】
本発明に係る照明装置は、前記白色光源は、白色ＬＥＤであり、前記他色は、青色であることを特徴とする。
【００１２】
本発明にあっては、白色光源は、白色ＬＥＤであり、他色は、青色である。これにより、照明装置の全体としての照明は青色光照明であり、青色光の心理的な効果を維持させることができる。また、青色光を相対的に光拡散率の大きい第２透過カバーで拡散させるので、例えば、青色光の平均放射輝度に対する最大放射輝度の比率を抑制することができ、透過カバーを注視した際の網膜上の放射照度を抑え、傷害のリスクを低減することができる。
【００１３】
本発明に係る照明装置は、前記第１透過カバーは、透明カバーであることを特徴とする。
【００１４】
本発明にあっては、第１透過カバーは、透明カバーである。これにより、白色光は拡散させずに透過させることができ、白色光による輝度の高い光源を実現して、瞳孔を閉じやすくするとともに、眩しさで照明を直視しにくくすることができる。
【００１５】
本発明に係る照明装置は、前記白色光源の照射領域を所定方向に拡幅すべく該白色光源の光を拡散する光学部材を備えることを特徴とする。
【００１６】
本発明にあっては、白色光源の照射領域を所定方向に拡幅すべく白色光源の光を拡散する光学部材を備える。例えば、照明装置を道路灯として道路の脇に設置した場合、所定方向は、道路の進行方向（道路の幅方向と略直交する方向）である。光学部材は、白色光源の光を所定方向に拡散するためのレンズ、又は当該レンズ機能を備えた第１透過カバーである。これにより、所要のエリアを高い照度で照明することができる青色光照明を実現することができる。
【発明の効果】
【００１７】
本発明によれば、目に対する悪影響を低減して安全性を高くすることができる。
【図面の簡単な説明】
【００１８】
【図１】本実施の形態の照明装置の構成の一例を示す外観斜視図である。
【図２】本実施の形態の照明装置の透過カバーの構成の一例を示す平面図である。
【図３】本実施の形態の照明装置の要部の一例を示す平面図である。
【図４】本実施の形態の照明装置の設置状態の一例を示す模式図である。
【図５】本実施の形態の照明装置の設置状態の他の例を示す模式図である。
【発明を実施するための形態】
【００１９】
以下、本発明をその実施の形態を示す図面に基づいて説明する。図１は本実施の形態の照明装置１００の構成の一例を示す外観斜視図であり、図２は本実施の形態の照明装置１００の透過カバーの構成の一例を示す平面図であり、図３は本実施の形態の照明装置１００の要部の一例を示す平面図である。なお、図３は後述の透過カバーを外した状態を示す。また、以下の説明では、照明装置１００として青色光照明の道路灯を例として挙げるが、本実施の形態の照明装置１００は、道路灯に限定されるものではない。
【００２０】
照明装置１００は、電柱などの支柱に取り付けるための取付部１０、取付部１０に固定された筐体２０、筐体２０に取り付けられる第１透過カバー３１、第２透過カバー３２などを備える。なお、図１、図２では便宜上、第１透過カバー３１、第２透過カバー３２の光拡散率が異なるので、一例として第２透過カバー３２には模様を付している。
【００２１】
筐体２０は、一面が開口した長方体状をなし、平面視において長辺と短辺とで構成されえる長方形状をなし、短辺は外側に向かって凸状（半円状）に湾曲してある。筐体２０は、アルミニウム又は鉄等の金属製に限らず、樹脂又はセラミックス等他の材料製であってもよい。
【００２２】
図３に示すように、筐体２０内には、適長離隔させて矩形状の２つの基板４０を配置してある。基板４０の長さは、筐体２０の長さより若干短い程度にすることができる。それぞれの基板４０には、白色ＬＥＤ４１、青色ＬＥＤ４２が一列をなすように実装してある。図３の例では、白色ＬＥＤ４１を筐体２０の取付部１０と反対側に設け、３つの青色ＬＥＤ４２を筐体２０の取付部１０側に設けてある。なお、白色ＬＥＤ４１、青色ＬＥＤ４２の配置、個数等は図３の例に限定されるものではない。
【００２３】
白色ＬＥＤ４１が発する光は、可視光の範囲で連続又は複数のピークを有するスペクトルを有する光であり、いわゆる白色だけでなく、昼光色、昼白色、温白色、電球色などの光色も含めることができる。
【００２４】
図２、図３に示すように、筐体２０の開口には、第１透過カバー３１及び第２透過カバー３２を隣接させた状態で取り付けてある。
【００２５】
透光カバー３２は、例えば、ポリカーボネート樹脂又はアクリル樹脂等の光を透過する材料からなり、光を拡散する拡散材が分散された乳白色の透光カバーである。
【００２６】
透光カバー３１は、例えば、ポリカーボネート樹脂又はアクリル樹脂等の光を透過する材料からなり、拡散材を含まない透明カバーである。なお、光を拡散する少量の拡散材を含めることもできる。
【００２７】
第１透過カバー３１は、白色ＬＥＤ４１に対向した位置に配置されて白色ＬＥＤ４１を覆い、白色ＬＥＤ４１の光だけを透過させる。また、第２透過カバー３２は、青色ＬＥＤ４２に対向した位置に配置されて青色ＬＥＤ４２を覆い、青色ＬＥＤ４２の光だけを透過させる。第１透過カバー３１の光拡散率は、第２透過カバー３２の光拡散率よりも小さい。すなわち、第１透過カバー３１の光拡散率を相対的に小さくする、あるいは非拡散透過にすることにより、白色の光は相対的に拡散されずに透過カバー３１から透過するので、白色ＬＥＤ４１は輝度が高い光源（例えば、実質的に点光源とみなすことができる光源）とすることができ、透過カバー３１、３２を直視した場合、瞳孔を閉じやすくするとともに、眩しさで照明を直視しにくくすることができるので、青色光による目に対する悪影響を低減して安全性を高くすることができる。
【００２８】
また、白色ＬＥＤ４１と青色ＬＥＤ４２の個数の比率は、１：３であり、青色ＬＥＤ４２の光は相対的に光拡散率の高い透過カバー３２を透過する。このため、青色光は、いわゆる拡散光（青色ＬＥＤは実質的に面光源とみなすことができる）となるので、照明装置１００の全体としての光色は青色である(ＪＩＳで定義される青色の範囲に含まれる)。これにより、青色光の心理的な効果を維持させることができる。なお、白色ＬＥＤ４１と青色ＬＥＤ４２の個数の比率を、例えば、１：３とすることにより、青色ＬＥＤ４２に対する白色ＬＥＤ４１の放射束比率（光量の比率、あるいはＬＥＤチップに流れる電流の比率でもよい）を４分の１程度にすることができるので、照明装置１００の全体としての照明光を青色とすることができる。
【００２９】
また、青色光を相対的に光拡散率の大きい第２透過カバー３２で拡散させるので、例えば、青色光の平均放射輝度に対する最大放射輝度の比率を抑制することができ、透過カバー３１、３２を注視した際の網膜上の放射照度を抑え、傷害のリスクを低減することができる。すなわち、白色光に比べて青色光は、分光視感効率が低いため、同一放射輝度（エネルギー）の白色光に比べて輝度が低い。このため、青色光は白色光に比べて眩しさを感じにくく、瞳孔が開いたままになりやすく、また眩しさによって光源から眼をそらすことも少なくなり、網膜上の照度が大きくなる傾向になり、網膜傷害に対するリスクが増加するからである。
【００３０】
また、第１透過カバー３１は、例えば、透明カバーとすることもできる。これにより、白色光は拡散させずに透過させることができ、白色光による輝度の高い点光源を実現して、瞳孔を閉じやすくするとともに、眩しさで照明を直視しにくくすることができる。すなわち、白色光の点光源を実現することにより、最大放射輝度を高くし、ユーザが白色光源を注視した際の網膜上の照度が大きくなるからである。
【００３１】
図４は本実施の形態の照明装置１００の設置状態の一例を示す模式図である。図４に示すように、道路からの高さが所定の高さになるように道路脇の支柱又は電柱に照明装置１００を取り付けてある。取付方向は、照明装置１００の筐体２０の短辺が道路の方向になるようにし、筐体２０の長辺が道路幅の方向になるようにしてある。
【００３２】
そして、白色ＬＥＤ４１からの光の最大輝度方向にある照射面で青色ＬＥＤ４２の照度を最大とすべく青色ＬＥＤ４２を配置してある。また、図４に示すように、照明装置１００を所定の取付状態で支柱等に取り付けたときに、白色ＬＥＤ４１の最大輝度方向が道路の幅方向の中央付近となるように、予め白色ＬＥＤ４１、基板４０を配置しておく。
【００３３】
青色光は人の目の分光視感度が低く、またカメラ等の感度も低いため青色光が照射された照射面及び周囲の視認性は劣る。白色光源の最大輝度方向にある照射面で青色光源の照度を最大とすることにより、青色光単独による照射面の照度よりも照度を高めることができるので、目視及びカメラ等により視認性を向上させることができる。また、青色ＬＥＤ４２の照度が最も高くなる位置と白色光源の最大輝度方向を一致させることで、青色光による目に対する悪影響が最も顕著になる位置で最も白色光による眩しさが強くなり、この位置から照明装置１００を最も直視しにくくすることができるので、網膜傷害に対するリスクをより低減させることができる。
【００３４】
図５は本実施の形態の照明装置１００の設置状態の他の例を示す模式図である。図４の場合と同様に、道路からの高さが所定の高さになるように道路脇の支柱又は電柱に照明装置１００を取り付けてある。取付方向は、照明装置１００の筐体２０の短辺が道路の方向になるようにし、筐体２０の長辺が道路幅の方向になるようにしてある。
【００３５】
また、照明装置１００を所定の取付状態で支柱等に取り付けたときに、白色ＬＥＤ４１の最大輝度方向が道路の幅方向の中央付近となるように、予め白色ＬＥＤ４１、基板４０を配置しておく。
【００３６】
そして、照明装置１００は、白色ＬＥＤ４１の照射領域（例えば、照度が所定値以上となる領域）を所定方向に拡幅すべく白色ＬＥＤ４１の光を拡散する光学部材を備える。例えば、照明装置１００を道路灯として道路の脇に設置した場合、所定方向は、道路の進行方向（道路の幅方向と略直交する方向）である。光学部材は、白色ＬＥＤ４１の光を所定方向に拡散するためのレンズである。あるいは、は第１透過カバー３１に当該レンズ機能を持たせることができる。これにより、青色光単独よりも照度を高めることができ、道路の所要のエリアを高い照度で照明することができる青色光照明を実現することができる。
【００３７】
上述の各実施例において記載されている構成は、お互いに組み合わせることが可能であり、組み合わせをすることにより、新しい技術的特徴を形成することができる。
【００３８】
上述の実施の形態では、道路灯としての照明装置について説明したが、照明装置は、道路灯に限定されるものでなく、他の照明装置であってよい。また、光源としてＬＥＤモジュールを備える照明装置について説明したが、光源はＬＥＤモジュールに限定されるものではなく、有機ＥＬなど他の光源でもよい。また、青色ＬＥＤに代えて、青色光を発光することができる蛍光灯など実質的に面光源となる光源を用いてもよい。
【００３９】
上述の実施の形態では、他色光源として、青色光源を用いる構成であったが、照明装置全体としては、白色光と異なる照明光であるが、実質的に点光源とみなせる白色光源と、面光源とみなす他色の光源とを組み合わせる場合には、他色として青色以外の色の光源を用いることができる。
【符号の説明】
【００４０】
２０  筐体
３１  第１透過カバー
３２  第２透過カバー
４０  基板
４１  白色ＬＥＤ
４２  青色ＬＥＤ
【図１】
2014075231.tif 000003
【図２】
2014075231.tif 000004
【図３】
2014075231.tif 000005
【図４】
2014075231.tif 000006
【図５】
2014075231.tif 000007